【事件の表示】
　平成　９年特許願第　９９４５７号「画像入力装置および画像入力方法」拒絶査定不服審判事件〔平成１０年１０月２７日出願公開、特開平１０−２９０３２０〕について、次のとおり審決する。
【結　論】
　本件審判の請求は、成り立たない。
【理　由】
１．手続きの経緯 
　本願は、平成９年４月１６日に出願したものであって、平成１５年１月７日に拒絶査定がなされ、これに対して同年２月６日に拒絶査定を不服とする審判請求がなされるとともに、同年２月２１日に手続き補正がなされたものである。
２．平成１５年２月２１日付けの手続補正について
［補正却下の決定の結論］
平成１５年２月２１日付けの手続補正を却下する。
［理由］
平成１５年２月２１日付けの手続補正（以下、「本件補正」という。）により、特許請求の範囲は、「【請求項１】原稿をスキャンして画像データを生成する画像データ生成部と、
　この画像データを、複数の変換形式のうちの何れかの変換形式の印刷データに変換するデータ変換部と、
　コンピュータネットワーク経由で、このネットワークに接続された他の装置へデータを送信するデータ出力部と、
　データの出力先が選択されると、当該選択された出力先に応じて、前記画像データ生成部が生成した前記画像データ及び前記画像データ生成部によって当該画像データから変換される前記印刷データのいずれかを選択し、更に、前記印刷データを選択した場合には、選択された前記データの出力先に対応した変換形式の前記印刷データへの前記画像データの変換を前記データ変換部に指示し、選択した前記画像データ又は前記データ変換部によって変換された前記印刷データの前記出力先への送信を前記データ出力部に指示する制御部と
を有することを特徴とする画像入力装置。
　　【請求項２】請求項１において、前記制御部は、前記選択された出力先に前記画像データまたは印刷データを送信できないときは前記コンピュータネットワークに接続されたサーバへの前記画像データまたは印刷データの送信を前記データ出力部に指示する機能を備えていることを特徴とする画像入力装置。
　　【請求項３】請求項１又は２において、前記データ出力部は印刷装置をローカル接続して前記印刷データを送信するプリンタ接続部を備えていることを特徴とする画像入力
装置。
　　【請求項４】コンピュータネットワーク上の出力先を選択する選択工程と、
　原稿をスキャンして画像データを生成する画像データ生成工程と、
　この画像データを、前記選択工程によって選択された出力先に合致した変換形式の印刷データに変換するデータ変換工程と、
　前記選択工程によって選択された出力先に応じて、前記画像データ生成工程によって生成された前記画像データ，及び前記データ変換工程によって当該画像データから変換された前記印刷データのいずれかを選択し、選択した前記画像データ又は前記印刷データを、前記選択工程によって選択された出力先へ前記コンピュータネットワーク経由で出力するデータ出力工程と
を有することを特徴とする画像入力方法。
　　【請求項５】請求項４において、前記選択された出力先に前記画像データまたは印刷データを送信できないときは前記コンピュータネットワークに接続されたサーバに前記画像データまたは印刷データを送る工程を有することを特徴とする画像入力方法。
　　【請求項６】請求項４又は５において、前記データ出力工程では、前記コンピュータネットワーク経由またはローカル接続された印刷装置に前記印刷データを送信することを特徴とする画像入力方法。」と補正された。
　上記補正は、旧請求項３、旧請求項７を削除するとともに、請求項１の「更に、印刷データを選択した場合には、選択された出力先に対応した変換形式の前記印刷データへの前記画像データの変換を前記データ変換部に指示し」について、「更に、前記印刷データを選択した場合には、選択された前記データの出力先に対応した変換形式の前記印刷データへの前記画像データの変換を前記データ変換部に指示し」と限定を付加したもの等であって、特許法第１７条の２第４項第２号の特許請求の範囲の減縮を目的とするもの等に該当する。
　そこで、本件補正後の前記請求項１に記載された発明（以下、「本願補正発明」という。）が特許出願の際独立して特許を受けることができるものであるか否か（平成１５年改正前特許法第１７条の２第５項において読み替えて準用する同法第１２６条第４項の規定に適合するか）について以下に検討する。
（１）引用例
　原査定の拒絶の理由に引用された特開平８−２８９０６７号公報（以下、「引用例」という。）には、
ア　「【発明が解決しようとする課題】しかしながら、このような従来の画像処理システムにあっては、サーバ装置が通信ネットワークからの指示に基づいて、画像入出力装置により読み込んだ画像データを文字認識した後、通信ネットワークに送り出し、また、通信ネットワークからの文字コードを画像入出力装置で印刷出力するようになっていたため、スキャナは、常に、通信ネットワーク、すなわち、通信ネットワークに接続されたワークステーションから制御されることとなり、ワークステーションとスキャナとの距離が離れていると、用紙や書籍等をスキャナに読み込ませる度にワークステーションの位置からスキャナの位置まで行き、用紙等をセットする必要があり、スキャナの利用性が悪いという問題があった。また、自動給紙装置（ＡＤＦ）が使用可能なスキャナであっても、読み込む対象が書籍等の場合には、やはり、異なるページを読み込ませる度に、スキャナとワークステーションとの間を行き来しなければならず、さらに、ＡＤＦを使用してカット用紙を読み取る場合であっても、用紙が詰まる等の障害が発生すると、ワークステーションからスキャナの設置場所まで、障害を復旧させるために行かなければならず、スキャナの利用性が悪いという問題があった。そこで、本発明は、スキャナ自身で読み込んだ画像データの出力先を指定し、また、必要なデータ変換を行って、通信ネットワークに接続された他の装置に送信できる利用性の良好なスキャナシステムを提供することを目的としている。」（２頁２欄４３行〜３頁３欄１９行、段落番号【０００８】〜【００１０】）、
イ　「【課題を解決するための手段】請求項１記載の発明のスキャナシステムは、少なくとも所定数のサーバ装置の接続された通信ネットワークに接続されたスキャナシステムにおいて、画像データを読み込む画像データ読込手段と、前記画像データ読込手段の読み込んだ画像データを記憶させるサーバ装置の記憶装置を指示する指示手段と、前記通信ネットワークの通信手順に基づいて前記指示手段の指示する前記サーバ装置と通信処理を行い、前記画像データ読込手段の読み込んだ画像データを前記サーバ装置の記憶装置に送信して記憶させる通信制御手段と、を備えることにより、上記目的を達成している。請求項２記載の発明のスキャナシステムは、少なくとも所定数のサーバ装置の接続された通信ネットワークに接続されたスキャナシステムにおいて、画像データを読み込む画像データ読込手段と、前記画像データ読込手段の読み込んだ画像データを記憶させるサーバ装置の記憶手段を指示するとともに、前記画像データのフォーマット形式を指示する指示手段と、前記指示手段により指示されたフォーマット形式で前記画像データ読込手段の読み込んだ画像データをデータ変換するデータ変換手段と、前記通信ネットワークの通信手順に基づいて前記指示手段の指示する前記サーバ装置と通信処理を行い、前記データ変換手段の変換した画像データを前記サーバ装置の記憶装置に送信して記憶させる通信制御手段と、を備えることにより、上記目的を達成している。請求項３記載の発明のスキャナシステムは、少なくとも所定数のプリンタ装置の接続された通信ネットワークに接続されたスキャナシステムにおいて、画像データを読み込む画像データ読込手段と、前記画像データ読込手段の読み込んだ画像データを記録出力させる前記プリンタ装置を指示するとともに、前記指示されたプリンタ装置により記録出力させるための画像データのプリンタ記述言語を指示する指示手段と、前記指示手段により指示されたプリンタ記述言語のフォーマット形式で前記画像データ読込手段の読み込んだ画像データをデータ変換するデータ変換手段と、前記通信ネットワークの通信手順に基づいて前記指示手段の指示する前記プリンタ装置と通信処理を行い、前記データ変換手段の変換した画像データを前記指示手段の指示する前記プリンタ装置に送信して記録出力させる通信制御手段と、を備えることにより、上記目的を達成している。」（３頁３欄２１行〜４欄１２行、段落番号【００１１】〜【００１３】）、
ウ　「【作用】請求項１記載の発明のスキャナシステムによれば、指示手段により、画像データ読込手段の読み込んだ画像データを記憶させるサーバ装置の記憶装置が指示されると、通信制御手段が、通信ネットワークの通信手順に基づいて指示手段の指示するサーバ装置と通信処理を行い、画像データ読込手段の読み込んだ画像データをサーバ装置の記憶装置に送信して記憶させる。したがって、通信ネットワークの利用者は、一度、スキャナシステムの設置場所に行き、原稿の画像データの格納先を指定して、スキャナシステムに原稿を読み取らせることにより、利用者の意図する格納先に原稿の画像データを格納することができ、通信ネットワークにおけるスキャナシステムの利用性を向上させることができる。請求項２記載の発明のスキャナシステムによれば、指示手段により、画像データ読込手段の読み込んだ画像データを記憶させるサーバ装置の記憶手段を指示するとともに、画像データのフォーマット形式を指示すると、データ変換手段が指示手段により指示されたフォーマット形式で変換し、通信手段が、通信ネットワークの通信手順に基づいて指示手段の指示するサーバ装置と通信処理を行い、データ変換手段の変換した画像データを指示手段の指示するサーバ装置の記憶装置に送信して記憶させる。したがって、利用者は、一度、スキャナシステムの設置場所に行き、原稿の画像データの格納先及びフォーマット形式を指定して、スキャナシステムに原稿を読み取らせることにより、利用者の意図する格納先に意図するフォーマット形式で原稿の画像データを格納することができる。その結果、利用者がワークステーション等でフォーマット変換を行うことなく、速やかに格納先の画像データを利用することができ、通信ネットワークにおけるスキャナシステムの利用性をより一層向上させることができる。請求項３記載の発明のスキャナシステムによれば、指示手段により、画像データ読込手段の読み込んだ画像データを記録出力させるプリンタ装置を指示するとともに、このプリンタ装置に記録出力させるための画像データのプリンタ記述言語を指示すると、データ変換手段が、指示手段により指示されたプリンタ記述言語のフォーマット形式で画像データ読込手段の読み込んだ画像データをデータ変換し、通信制御手段が、通信ネットワークの通信手順に基づいて指示手段の指示するプリンタ装置と通信処理を行い、データ変換手段の変換した画像データを指示手段の指示するプリンタ装置に送信して記録出力させる。したがって、利用者は、一度、スキャナシステムの設置場所に行き、原稿の画像データを記録出力するプリンタ及びプリンタ記述言語を指定して、スキャナシステムに原稿を読み取らせることにより、当該プリンタに適したデータ形式の画像データを送信して、利用者の意図するプリンタにより記録紙に記録出力することができ、通信ネットワークにおけるスキャナシステムの利用性をより一層向上させることができる。」（３頁４欄２１行〜４頁５欄２５行、段落番号【００１５】〜【００２１】）、
エ　「ネットワークプリンタＮＰは、通常のプリンタ機能とともに、通信ネットワーク１の通信機能を備えており、通信ネットワーク１に接続されている他の端末から送信されてきたデータを記録紙に記録出力する。ネットワークスキャナＮＳは、ＣＰＵ１０、ＲＯＭ１１、ＲＡＭ１２、ＬＡＮ／ＩＦ１３、スキャナ制御部１４及びオペレーションパネル１５等を備えており、これら各部は、バス１６により接続されている。ＲＯＭ１１には、ネットワークスキャナＮＳとしての基本プログラム、特に、通信ネットワーク１に接続された他の装置、例えば、サーバＳ、あるいは、ネットワークプリンタＮＰ等とネットワークスキャナＮＳとの通信ネットワーク１の通信手順に従った通信処理を行う通信処理プログラム、画像データを種々のフォーマット形式でデータ変換するフォーマット変換用プログラム、画像データを所定の圧縮形式で圧縮処理する圧縮プログラム及び種々のプリンタ記述言語で画像データを変換するプリンタ記述言語変換プログラム等の各種プログラム及び上記各プログラムを実行するのに必要なシステムデータが予め格納されている。ＣＰＵ（通信制御手段）１０は、ＲＯＭ１１内のプログラムに基づいてＲＡＭ１２をワークメモリとして利用しつつ、ネットワークスキャナＮＳの各部を制御して、ネットワークスキャナＮＳとしての処理を実行するとともに、上記通信処理を実行する。ＲＡＭ１２は、上記ＣＰＵ１０のワークメモリとして利用されるとともに、ネットワークスキャナＮＳの読み取った画像データを一時記憶する。ＬＡＮ／ＩＦ１３は、ＬＡＮケーブル２に接続され、ＣＰＵ１０の制御下で、ＬＡＮケーブル２に接続された他の端末との間で通信制御信号の交換を行うとともに、データの授受を行う。スキャナ制御部（画像データ読込手段）１４は、ＣＣＤ（Charge Coupled Device）を利用したイメージ読取部、イメージ読取部の動作を制御する制御部及びＡＤＦ（自動原稿送り装置）等を備えており、ＡＤＦは、セットされた原稿を１枚ずつ読取部に送給する。スキャナ制御部１４は、ＡＤＦから読取部に搬送されてきた原稿を読取部で走査して、原稿の画像データを読み取り、スキャナ制御部１４で読み取られた画像データは、オペレーションパネル１５で指定されたフォーマット形式にデータフォーマットされ、あるいは、そのままＲＡＭ１２に格納される。オペレーションパネル１５は、図２に示すように、サーバ接続指示キー２１、ファイル名指定キー２２、フォーマット指定キー２３、プリンタ接続指示キー２４、プリンタ記述言語指定キー２５、データ圧縮指示キー２６、中止キー２７及び開始キー２８等を備えるとともに、中止キー２７と開始キー２８以外の指示キーや指定キーの各キーの下にディスプレイ３１〜３６が設けられている。サーバ接続指示キー２１は、ネットワークスキャナＮＳと接続するサーバを指定するのに使用され、このサーバ接続指示キー２１により指定されたサーバが、ディスプレイ３１に表示される。ファイル名指定キー２２は、スキャナ制御部１４で読み取った画像データのファイル名を指定するのに使用され、ファイル名指定キー２２により指定されたファイル名が、ディスプレイ３２に表示される。フォーマット指定キー２３は、スキャナ制御部１４で読み取った画像データをＰＩＣＴ、ＴＩＦＦ、ＢＭＰあるいはＥＰＳＦ等のどのフォーマット形式に変換するかを指定するのに使用され、フォーマット指定キー２３により指定されたフォーマット形式が、ディスプレイ３３に表示される。プリンタ接続指示キー２４は、スキャナ制御部１４で読み取った画像データをネットワークプリンタＮＰに出力指示を行う際に使用され、プリンタ接続指示キー２４による指示内容が、ディスプレイ３４に表示される。プリンタ記述言語指定キー２５は、ネットワークプリンタＮＰで画像データを出力させる際のプリンタ記述言語、例えば、PostScript等を指定するのに使用され、プリンタ記述言語指定キー２５による指定されたプリンタ記述言語が、ディスプレイ３５に表示される。」（４頁６欄３６行〜５頁８欄１２行、段落番号【００３３】〜【００４６】）、
オ　「本実施例の通信ネットワーク１は、ネットワークスキャナＮＳのスキャナ制御部１４で読み取った原稿の画像データを蓄積する送信先をネットワークスキャナＮＳのオペレーションパネル１５で指定して、指定した送出先に読み取った原稿の画像データを送信するところにその特徴がある。いま、説明を簡単にするために、図１のワークステーションＷＳ１の利用者が、ネットワークスキャナＮＳで読み取った原稿の画像データをサーバＳの記憶装置３に送信させるものとして、図３に示すシーケンス図に基づいて、以下、説明する。ワークステーションＷＳ１の利用者は、ネットワークスキャナＮＳの設置されている場所に行き、図３に示すように、ネットワークスキャナＮＳの読取部、あるいは、ＡＤＦに読み取りたい情報の記載された用紙や書籍等の原稿をセットし、オペレーションパネル１５から通信ネットワーク１でユーザが資源の共有を許可されている記憶装置の選択をサーバ接続指示キー２１により指示する。いま、ワークステーションＷＳ１の利用者は、サーバＳの記憶装置３を選択するので、サーバ接続指示キー２１によりサーバＳを指示し、ＣＰＵ１０は、サーバ接続指示キー２１によりサーバＳが指示されると、ディスプレイ３１に指定されたサーバＳを表示する。次いで、サーバ２１と接続されると、利用者は、スキャナ制御部１４で読み取った原稿の画像データのファイル名をオペレーションパネル１５のファイル名指定キー２２により入力し、ファイル名が入力されると、ネットワークスキャナＮＳのＣＰＵ１０は、入力されたファイル名をディスプレイ３２に、例えば、「ＡＢＣ．ＴＩＦ」と表示する。利用者は、ファイル名の入力を完了すると、開始キー２８を投入する。ネットワークスキャナＮＳのＣＰＵ１０は、開始キー２８が投入されると、スキャナ制御部１４によりセットされた原稿の読み取りを開始して、読み取った原稿の画像データを、一旦、ＲＡＭ１２に格納するとともに、ＬＡＮ／ＩＦ１３を介してサーバＳにファイルオープンを要求し、スキャナ制御部１４で読み取った原稿の画像データのサーバＳへの送信を開始する。ネットワークスキャナＮＳのＣＰＵ１０は、スキャナ制御部１４にセットされた全ての原稿の画像データの読み取りと、読み取った原稿の画像データのサーバＳへの送信を完了すると、原稿の読み取り及び送信処理を終了する。」（５頁８欄２５行〜６頁９欄２０行２頁右下欄、段落番号【００５０】〜【００５７】）、
カ　「図６は、本発明のスキャナシステムの第４実施例を示す図であり、本実施例は、上記第１実施例の図１及び図２に示した通信ネットワーク１と同様の通信ネットワークに適用したものである。そこで、本実施例の説明においては、図１及び図２に用いた符号をそのまま用いて、以下説明する。本実施例は、請求項３記載の発明に対応する実施例であり、ネットワークスキャナＮＳのオペレーションパネル１５により画像データの記録出力先のプリンタと当該プリンタに適合するプリンタ記述言語が指定されると、ネットワークスキャナＮＳで読み取った画像データを指定のプリンタ記述言語で変換して、指定されたプリンタに送信するところにその特徴がある。そのため、ネットワークスキャナＮＳのＲＯＭ１１には、上記プリンタ記述言語変換プログラムが格納されている。いま、説明を簡単にするために、図１のワークステーションＷＳ１の利用者が、ネットワークスキャナＮＳで原稿の読み取った画像データをネットワークプリンタＮＰに送信して、記録出力させるものとして、図６に示すシーケンス図に基づいて、以下、説明する。ワークステーションＷＳ１の利用者は、上記第１実施例と同様に、ネットワークスキャナＮＳの設置されている場所に行き、図６に示すように、ネットワークスキャナＮＳの読取部、あるいは、ＡＤＦに読み取りたい情報の記載された原稿をセットし、オペレーションパネル１５のプリンタ接続指示キー２４によりネットワークスキャナＮＳとの接続を指示する。ＣＰＵ１０は、プリンタ接続指示キー２４により接続するネットワークプリンタＮＰが指定されると、ディスプレイ３４に指定されたネットワークプリンタＮＰを表示し、指定されたネットワークプリンタＮＰとの接続を行う。利用者は、ネットワークプリンタＮＰに接続されると、接続されたネットワークプリンタＮＰに適したプリンタ記述言語をプリンタ記述言語指定キー２５により指定し、次いで、開始キー２８を投入する。開始キー２８が投入されると、ネットワークスキャナＮＳのＣＰＵ１０は、スキャナ制御部１４によりセットされた原稿の読み取りを開始して、読み取った原稿の画像データを、一旦、ＲＡＭ１２に格納するとともに、ＲＯＭ１１内のプリンタ記述言語変換プログラムにより、ＲＡＭ１２に格納した画像データを指定されたプリンタ記述言語用プリントデータにデータ変換する。次に、ＣＰＵ１０は、ＬＡＮ／ＩＦ１３を介して指定されたネットワークプリンタＮＰにファイルオープンを要求し、指定されたプリンタ記述言語用プリントデータにデータ変換した画像データのネットワークプリンタＮＰへの送信を開始する。ネットワークスキャナＮＳのＣＰＵ１０は、スキャナ制御部１４にセットされた全ての原稿の画像データの読み取り、読み取った原稿の画像データの指定されたプリンタ記述言語用プリントデータへの変換及び変換後の画像データのネットワークプリンタＮＰへの送信を完了すると、原稿の読み取り、データ変換及び画像データの送信処理を終了する。ネットワークプリンタＮＰは、送信されてきた画像データを受信し、記録紙への記録出力を行う。」（８頁１３欄３９行〜１４欄４８行、段落番号【００９５】〜【０１０６】）が記載されている。
　これらの記載ア〜カ及び図面第１図〜第６図によれば、引用例には、「ＡＤＦから読取部に搬送されてきた原稿を読取部で走査して、原稿の画像データを読み取るスキャナ制御部１４と、ネットワークスキャナＮＳとしての基本プログラム、特に、通信ネットワーク１に接続された他の装置、例えば、サーバＳ、あるいは、ネットワークプリンタＮＰ等とネットワークスキャナＮＳとの通信ネットワーク１の通信手順に従った通信処理を行う通信処理プログラム、画像データを種々のフォーマット形式でデータ変換するフォーマット変換用プログラム、画像データを所定の圧縮形式で圧縮処理する圧縮プログラム及び種々のプリンタ記述言語で画像データを変換するプリンタ記述言語変換プログラム等の各種プログラム及び上記各プログラムを実行するのに必要なシステムデータが予め格納されているＲＯＭ１１と、ＬＡＮケーブル２に接続され、ＣＰＵ１０の制御下で、ＬＡＮケーブル２に接続された他の端末との間で通信制御信号の交換を行うとともに、データの授受を行うＬＡＮ／ＩＦ１３と、オペレーションパネル１５から通信ネットワーク１でユーザが資源の共有を許可されている記憶装置の選択をサーバ接続指示キー２１により指示され、開始キー２８が投入されると、スキャナ制御部１４によりセットされた原稿の読み取りを開始して、読み取った原稿の画像データを、一旦、ＲＡＭ１２に格納するとともに、ＬＡＮ／ＩＦ１３を介してサーバＳにファイルオープンを要求し、スキャナ制御部１４で読み取った原稿の画像データのサーバＳへの送信を開始するネットワークスキャナＮＳのＣＰＵ１０と、を有するネットワークスキャナＮＳ。」の発明（以下、「引用発明１」という。）及び「ＡＤＦから読取部に搬送されてきた原稿を読取部で走査して、原稿の画像データを読み取るスキャナ制御部１４と、ネットワークスキャナＮＳとしての基本プログラム、特に、通信ネットワーク１に接続された他の装置、例えば、サーバＳ、あるいは、ネットワークプリンタＮＰ等とネットワークスキャナＮＳとの通信ネットワーク１の通信手順に従った通信処理を行う通信処理プログラム、画像データを種々のフォーマット形式でデータ変換するフォーマット変換用プログラム、画像データを所定の圧縮形式で圧縮処理する圧縮プログラム及び種々のプリンタ記述言語で画像データを変換するプリンタ記述言語変換プログラム等の各種プログラム及び上記各プログラムを実行するのに必要なシステムデータが予め格納されているＲＯＭ１１と、ＬＡＮケーブル２に接続され、ＣＰＵ１０の制御下で、ＬＡＮケーブル２に接続された他の端末との間で通信制御信号の交換を行うとともに、データの授受を行うＬＡＮ／ＩＦ１３と、プリンタ接続指示キー２４により接続するネットワークプリンタＮＰが指定され、ディスプレイ３４に指定されたネットワークプリンタＮＰを表示し、指定されたネットワークプリンタＮＰとの接続を行い、接続されたネットワークプリンタＮＰに適したプリンタ記述言語をプリンタ記述言語指定キー２５により指定され、開始キー２８が投入されると、スキャナ制御部１４によりセットされた原稿の読み取りを開始して、読み取った原稿の画像データを、一旦、ＲＡＭ１２に格納するとともに、ＲＯＭ１１内のプリンタ記述言語変換プログラムにより、ＲＡＭ１２に格納した画像データを指定されたプリンタ記述言語用プリントデータにデータ変換させ、ＬＡＮ／ＩＦ１３を介して指定されたネットワークプリンタＮＰにファイルオープンを要求し、指定されたプリンタ記述言語用プリントデータにデータ変換した画像データのネットワークプリンタＮＰへの送信を開始するＣＰＵ１０と、を有するネットワークスキャナＮＳ。」の発明（以下、「引用発明２」という。）が記載されていると認める。
（２）対比 
　そこで、本願補正発明と引用発明２とを対比する。
引用発明２の「走査」、「プリントデータ」、「ＬＡＮ」、ＬＡＮ／ＩＦ１３」、「ネットワークプリンタＮＰ」、「ＣＰＵ１０」、「ネットワークスキャナＮＳ」は、本願補正発明の「スキャン」、「印刷データ」、「コンピュータネットワーク」、「データ出力部」、「他の装置」、「制御部」、「画像入力装置」に相当する。
　引用発明２の「ＡＤＦから読取部に搬送されてきた原稿」は、原稿であるといえるから、本願補正発明の「原稿」に相当し、引用発明２の「原稿の画像データを読み取るスキャナ制御部１４」は、画像データを生成しているといえるから、本願補正発明の「画像データを生成する画像データ生成部」に相当する。
　引用発明２の「ＲＯＭ１１，ＣＰＵ１０」は、ＲＯＭ１１に、種々のプリンタ記述言語で画像データを変換するプリンタ記述言語変換プログラム等の各種プログラム及び上記各プログラムを実行するのに必要なシステムデータが予め格納されており、ＣＰＵ１０がＲＯＭ１１内のプリンタ記述言語変換プログラムにより、ＲＡＭ１２に格納した画像データを指定されたプリンタ記述言語用プリントデータにデータ変換させることから、「複数の変換形式」のプリントデータに変換する「データ変換部」の機能を備えているといえ、本願補正発明の「データ変換部」に相当する。
　したがって、本願補正発明と引用発明２は、「原稿をスキャンして画像データを生成する画像データ生成部と、この画像データを、複数の変換形式のうちの何れかの変換形式の印刷データに変換するデータ変換部と、コンピュータネットワーク経由で、このネットワークに接続された他の装置へデータを送信するデータ出力部と、選択された前記データの出力先に対応した変換形式の前記印刷データへの前記画像データの変換を前記データ変換部で行う構成と、選択した前記データ変換部によって変換された前記印刷データの前記出力先への送信を前記データ出力部に指示する制御部とを有することを特徴とする画像入力装置。」の点で一致し、以下の点で相違する。
相違点１ 
　本願補正発明では、制御部が、データの出力先が選択されると、当該選択された出力先に応じて、前記画像データ生成部が生成した前記画像データ及び前記画像データ生成部によって当該画像データから変換される前記印刷データのいずれかを選択し、そして選択した前記画像データ又は前記データ変換部によって変換された前記印刷データの前記出力先への送信を前記データ出力部に指示する構成であるのに対して、引用発明２では、それらの構成を備えていない点。
相違点２ 
　本願補正発明では、制御部が、前記印刷データを選択した場合には、選択された前記データの出力先に対応した変換形式の前記印刷データへの前記画像データの変換を前記データ変換部に指示をする構成であるのに対して、引用発明２では、利用者がデータ変換部にその指示をする構成となっている点。
（３）判断
　以下、相違点１〜２について検討する。
相違点１について
　引用例第２図には、同一のオペレーションパネル１５上にサーバ接続指示キー２１とプリンタ接続指示キー２１が備えられた構成が図示され、サーバ接続指示キー２１とプリンタ接続指示キー２１は、共に出力先との接続を指示するものであるから、出力先としてサーバとプリンタを選択可能とすることを示唆しているともいえ、また、上記引用発明１は、「画像入力装置において、オペレーションパネル１５から通信ネットワーク１でユーザが資源の共有を許可されている記憶装置の選択をサーバ接続指示キー２１により指示され、開始キー２８が投入されると、スキャナ制御部１４によりセットされた原稿の読み取りを開始して、読み取った原稿の画像データを、一旦、ＲＡＭ１２に格納するとともに、ＬＡＮ／ＩＦ１３を介してサーバＳにファイルオープンを要求し、スキャナ制御部１４で読み取った原稿の画像データのサーバＳへの送信を開始する」構成を備えているといえ、さらに、引用例のようなコンピュータネットワークに接続された高機能の画像入力装置からみると、画像データ（印刷データ）の出力先として、サーバとプリンタの両者を選択可能なものとして扱うことができるといえるから、引用発明２に、上記引用発明１の構成を採用し、制御部が、データの出力先が選択されると、当該選択された出力先に応じて、前記画像データ生成部が生成した前記画像データ及び前記画像データ生成部によって当該画像データから変換される前記印刷データのいずれかを選択し、そして選択した前記画像データ又は前記データ変換部によって変換された前記印刷データの前記出力先への送信を前記データ出力部に指示する構成とすることは、当業者が容易に想到できたものである。
相違点２について
　情報処理の技術分野、例えばパソコンにおいて、複数のプリンタが出力可能に設定されている場合、各プリンタに対応したプリンタドライバが個別にインストールされており、各プリンタを選択すると、それに対応したプリンタドライバが自動的に選択され（プリンタの選択、及び、プリンタドライバの選択を個別に行うことはない）、そのプリンタドライバによって、選択されたプリンタに適合した形式の印刷データへの変換が行われることは、周知な技術事項であり（周知例：特開平８−３２４０３５号公報、特開平８３２８７８１号公報、特開平５−１１９４３号公報）、引用発明２も情報処理の技術分野に属しているものであるから、引用発明２に、上記周知な技術事項を採用することは、当業者の通常の創作能力からすれば格別困難なく推考できることである。そうすると、引用発明２において、利用者の指示に代え、制御部が、前記印刷データを選択した場合には、選択された前記データの出力先に対応した変換形式の前記印刷データへの前記画像データの変換を前記データ変換部に指示をする構成とすることは、当業者が容易に想到することができたものである。
　また、本願補正発明の作用効果が、引用例に記載された発明（引用発明２，引用発明１）及び周知技術を組み合わせたものに比べて格別なものとは認められない。
　したがって、本願補正発明は、引用例に記載された発明（引用発明２，引用発明１）及び周知技術に基づいて、当業者が容易に発明をすることができたものであるから、特許法第２９条第２項の規定により特許出願の際独立して特許を受けることができないものである。
　
（４）むすび
　以上のとおり、本件補正は、平成１５年改正前特許法第１７条の２第４項において読み替えて準用する同法第１２６条第３項の規定に違反するものであり、特許法第１５９条第１項において読み替えて準用する特許法第５３条第１項の規定により却下されるべきものである。 
 　 
３．本願発明について 
 　平成１５年２月２１日付けの手続補正は上記のとおり却下されたので、本願の請求項１に係る発明（以下、「本願発明」という。）は、平成１４年１１月８日付け手続補正書の特許請求の範囲の請求項１に記載された事項により特定される、以下のとおりのものである。
「【請求項１】原稿をスキャンして画像データを生成する画像データ生成部と、
　この画像データを、複数の変換形式のうちの何れかの変換形式の印刷データに変換するデータ変換部と、
　コンピュータネットワーク経由で、このネットワークに接続された他の装置へデータを送信するデータ出力部と、
　データ出力先が選択されると、当該選択された出力先に応じて、前記画像データ生成部が生成した前記画像データ及び前記画像データ生成部によって当該画像データから変換される前記印刷データのいずれかを選択し、更に、印刷データを選択した場合には、選択された出力先に対応した変換形式の前記印刷データへの前記画像データの変換を前記データ変換部に指示し、選択した前記画像データ又は前記データ変換部によって変換された前記印刷データの前記出力先への送信を前記データ出力部に指示する制御部とを有することを特徴とする画像入力装置。」
（１）引用例
　原査定の拒絶の理由に引用された引用例、及び、その記載事項は、前記「２（１）」に記載したとおりである。
（２）対比・判断
　本願発明は、前記２．で検討した本願補正発明から限定事項を省いたものである。
　そうすると、本願発明の発明特定事項を全て含み、さらに他の要素を付加し、発明特定事項を限定したものに相当する本願補正発明が前記「２．（２）、２．（３）」に記載したとおり、引用例に記載された発明及び周知技術に基づいて、当業者が容易に発明をすることができたものであるから、本願発明も、同様の理由により、引用例に記載された発明及び周知技術に基づいて、当業者が容易に発明することができたものである。
（３）むすび
　以上のとおり、本願発明は、引用例に記載された発明及び周知技術に基づいて、当業者が容易に発明をすることができたものであるから、特許法第２９条第２項の規定により特許を受けることができない。したがって、本願は、他の請求項に記載された発明について論ずるまでもなく、拒絶されるべきものである。
　よって、結論のとおり審決する。